【事件の表示】
　平成　２年特許願第１０３３１３号「磁気ディスク記憶装置」拒絶査定に対する審判事件［平成　３年　９月　９日出願公開、特開平　３−２０５９２０］について、次のとおり審決する。
【結　論】
　本件審判の請求は、成り立たない。
【理　由】
１．手続の経緯・本願発明
  本願は、特許法第４１条に基づく優先権主張を伴う平成２年４月１９日（優先日、平成１年１０月３０日）の出願であって、その請求項１に係る発明は、手続補正書により補正された明細書及び図面の記載からみて、その特許請求の範囲の請求項１に記載された次の事項により特定されるものである。
「磁気ディスク装置型記録媒体と、
　前記磁気ディスク型記録媒体上のデータを読み込むためのヘッドと、
　プロセッサと、
　制御可能な応答特性を有し、前記磁気ディスク型記憶媒体上から読み込まれるデータを取り扱うためにクロック信号を出力する位相同期回路と、
　前記プロセッサが実行するプログラム、および、前記ディスク上のアクセス位置に応じて予め設定される前記位相同期回路の応答特性を制御するための情報を記憶するメモリとを備え、
　前記プログラムは、前記磁気ディスク型記憶媒体上のアクセス位置、および、前記メモリに保持された前記情報に基づき前記位相回路の応答特性を制御するための指示を前記プロセッサに生成させる処理を含み、
　前記位相同期回路は、前記プログラム、および、前記位相同期回路の応答特性を示す情報に基づいて行なわれる前記プロセッサからの指示によって応答特性が制御される
ことを特徴とする磁気ディスク装置。」
２．引用例記載の発明
これに対して、原審の拒絶理由に引用された特開昭６２−２６２２７０号公報及び特開昭６４−６００１９号公報には、それぞれ、以下の事項が記載されている。
Ａ．特開昭６２−２６２２７０号公報（以下、引用例１という）
（１）「回転記録媒体の記録位置に応じて、周波数特性がステップ状に変化するフィルタ装置と、前記記録位置に応じて、入力電圧対出力周波数特性がステップ状に変化する電圧制御発振器とを有することを特徴とする情報記録再生装置。」（第１頁左下欄第５行乃至第９号、特許請求の範囲の記載から抽出）
（２）「本発明は、上記従来技術の問題点に着目してなされたものであり、ビット密度を向上させるとともに、書込み周波数の制御を簡単にすることができる情報記録再生装置を提供することを目的とするものである。」（第２頁左上欄第１７行乃至右上欄第１行から抽出）
（３）「第１図は、本発明の一実施例を示すブロック図である。レジスタ１は、システムバス２０を介してシリンダ位置（ヘッド位置）を示すシリンダ情報を記録するものである。フィルタ・発振器制御回路２は、レジスタ１からのシリンダ情報に基づいて、制御信号を出力するものである。」（第２頁右上欄第３行乃至第９行から抽出）
（４）「フィルタ回路６は、フィルタ・発振器制御回路２からの制御信号に基づいて、フィルタの周波数特性をステップ状に変化するものである。電圧制御発振器９は、フィルタ・発振器制御回路の制御信号に基づいて、入力電圧対出力周波数特性をステップ状に変化する書込み用クロック信号を出力するものである。」（第２頁右上欄第１０行乃至第１６行から抽出）
（５）「ディスク制御装置３は、ディスク４に上記書込み用クロック信号を送るとともに、ディスク（ディスク状記録媒体）４の一般的な制御を行なうものである。」（第２頁左下欄第２行乃至第５行から抽出）
（６）「位相比較回路７は、ディスク状記憶媒体４から読出された読出し信号と、電圧制御発振器９の出力信号（ウィンドウ信号）との同期を取るようにするとともに、ピークシフト（正規のビット位置からのシフト）を直すものである。」（第２頁左下欄第６行乃至第１０行から抽出）
（７）「今、ディスク制御装置３が、ディスク状記憶装置４に対して読出しの制御を行なうと、ディスク装置４から読出し信号が出力され、波形整形回路８に送られる。この波形整形回路８は，位相比較回路７に適した信号に波形整形する。この出力信号が位相比較回路７において、電圧制御発振器９の出力信号と位相比較がなされる。これによる位相差が、誤差信号としてフィルタ回路６に送られる。そして、そのときのシリンダ数に応じて、第２図に示す複数の特性の中から選択された特性に従って、上記誤差信号は濾過され、増幅器５で増幅される。この増幅された信号は、電圧制御発振器９に送られる。そのときのシリンダ数に応じて、第３図に示す複数の特性の中から選択された特性に従って、電圧・周波数の変換が行なわれる。この変換された信号は、波形整形回路８の出力信号と位相比較が行なわ（「行なわれ」の誤記）、同時に、ウィンドウ信号として、ディスク制御装置３に送られる。そして、ＰＬＬ回路（電圧制御発振器９とフィルタ回路６と位相比較回路７とによって構成される）によって正規化したウィンドウ信号に基づいてシリアルーパラレル変換がなされる。」（第３頁左下欄第１３行乃至第右下欄第１５行から抽出）
　上記事項を参照すると、引用例１には、
　ディスク状記録媒体４と、ディスク状記録媒体４のシリンダ位置に配されたヘッドと、ディスク状記録媒体４から読出される信号を取り扱うためのクロック信号を出力する、位相比較回路７とフィルタ回路６と電圧制御発振器９とからなるＰＬＬ回路と、ディスク状記録媒体４のシリンダ位置を示す情報を記録するレジスタ１と、フィルタ・発振器制御回路２は、レジスタ１からのシリンダ情報に基づいて、ＰＬＬ回路の構成部分であるフィルタ回路６及び電圧制御発振器９に対して制御信号を出力し、ＰＬＬ回路の構成部分であるフィルタ回路６は、フィルタ・発振器制御回路２の制御信号に基づいて、シリンダ情報に応じて複数の特性の中から選択された特性に従った制御がなされ、ＰＬＬ回路の構成部分である電圧制御発振器９は、フィルタ・発振器制御回路２の制御信号に基づいて、シリンダ情報に応じて複数の特性の中から選択された特性に従った制御がなされる情報記録再生装置の発明（以下、引用例１記載の発明という）が記載されていると認められる。
Ｂ．特開昭６４−６００１９号公報（以下、引用例２という）
（１）「基準周波数発生器（１）と位相比較器（３）とループフィルタ（４）と電圧制御発振器（５）とこの電圧制御発振器の出力周波数（ｆ0）を分周して上記比較器に帰還する分周器（２）とを含む広帯域位相同期発振器において、上記ループフィルタの時定数を定めるキャパシタンスを上記出力周波数（ｆ0）に応じて変化させることによって、この広帯域位相同期発振器のループ帯域（ωn）が全周波数帯域に汎ってほぼ一定となるようにしたことを特徴とする広帯域位相同期発振器。」（第１頁左下欄第５行乃至第１５行、特許請求の範囲の記載から抽出）
（２）「第１図のキャパシタンス制御手段６は、この実施例においては変換テーブル６１およびＤ／Ａ変換器６２からなる。
　この変換テーブル６１は電圧制御発振器５（第１図）の発振周波数を指定するためのチャンネルデータ、即ち予め定められた周波数を有するチャンネルを指定する番号などのデータ、を発振周波数を定めるためのデジタルデータに変換するために例えばＲＯＭに格納されたデータによって構成されるテーブルであり、Ｄ／Ａ変換器６２はこの変換テーブル６１からのデジタルデータをそのチャンネルの発振周波数ｆ0に対して所定のループ帯域ωnを得るために必要なバリキャップ４５の容量Ｃｖを与えるための印加電圧Ｖｃを算出・出力するためのテーブルである。
　したがって、変換テーブル６１にチャンネルデータが与えられると、そのチャンネルに対する電圧制御発振器の周波数ｆ0におけるループ帯域の補正を行うに必要なバリキャップ４５の容量を得るにため（得るための誤記）のバリキャップ印加電圧ＶｃがＤ／Ａ変換器６２から出力される。」（第３頁左下欄第５行乃至右下欄第５行から抽出）
　上記（１）及び（２）の事項を参照すると、引用例２には、予め定められた周波数を有するチャンネルを指定する番号などのデータ、発信周波数を定めるためのデータに変換するための、例えば、ＲＯＭに格納されたデータによって構成される変換テーブル６１からのディジタルデータをＤ／Ａ変換器６２により印加電圧を算出・出力して、電圧制御発振器５を含む位相同期発振器の応答特性を制御する広帯域位相同期発振器の発明（以下、引用例２記載の発明という）が記載されていると認められる。
３．対比
　そこで、請求項１に係る発明と引用例１記載の発明とを対比すると、
（１） 引用例１記載の発明の「ディスク状記録媒体４」、「ディスク状記録媒体４のシリンダ位置に配されたヘッド」は、それぞれ、請求項１に係る発明の「磁気ディスク装置型記録媒体」、「磁気ディスク型記録媒体上のデータを読み込むためのヘッド」に相当すると認められる。　
（２）また、引用例１記載の発明の「ディスク状記録媒体４から読出される信号を取り扱うためのクロック信号を出力する、位相比較回路７とフィルタ回路６と電圧制御発振器９とからなるＰＬＬ回路」は、フィルタ・発振器制御回路２からの制御信号に応答してその特性が制御されるものであり、請求項１に係る発明の「制御可能な応答特性を有し、前記磁気ディスク型記憶媒体上から読み込まれるデータを取り扱うためにクロック信号を出力する位相同期回路」に相当すると認められる。
（３）また、引用例１記載の発明においては、ＰＬＬ回路は、フィルタ・発振器制御回路２の制御信号に基づいて、シリンダ情報に応じて複数の特性の中から選択された特性に従って応答特性の制御がなされており、一方、請求項１記載の発明においては、プログラム、および、位相同期回路の応答特性を示す情報に基づいて行なわれるプロセッサからの指示によって応答特性が制御されており、両者とも、位相同期回路は位相同期回路の応答特性を示す情報に基づいて応答特性が制御される点では一致していると認められる。
　したがって、両者は、以下の点で一致し、以下の各点で相違している。
＜一致点＞
　磁気ディスク装置型記録媒体と、
　磁気ディスク型記録媒体上のデータを読み込むためのヘッドと、
　制御可能な応答特性を有し、前記磁気ディスク型記憶媒体上から読み込まれるデータを取り扱うためにクロック信号を出力する位相同期回路を備え、
　位相同期回路は、位相同期回路の応答特性を示す情報に基づいて応答特性が制御される、磁気ディスク装置である点。
＜相違点＞
　請求項１に係る発明では、メモリに記憶されたプログラム、位相同期回路の応答特性を制御するための情報、及びアクセス位置の情報に基づき、プロセッサが応答特性を制御するための指示を生成して、位相同期回路の制御するのに対し、引用例１記載の発明では、メモリに記憶されたシリンダ位置を示す情報により、フィルタ・発振器制御回路２の制御信号に基づいて、シリンダ情報に応じて複数の特性の中から選択された特性に従って位相同期回路の制御がなされる点。
４．当審の判断
　上記相違点については、引用例２記載の発明では、発振周波数を定めるためのデータに変換するためのデータをＲＯＭに格納し、このＲＯＭに格納されたデータとチャンネルを指定する番号などのデータによって、位相同期回路の制御を行う構成が示されていると認められ、引用例１記載の発明のフィルタ・発振器制御回路２による制御に代えて、アクセス位置の情報と、メモリに記憶された応答特性を制御するための情報に基づいて、位相同期回路の制御を行うことは、引用例２記載の発明を参照することにより、当業者が容易に想到し得ることと認められる。
　また、プログラムをメモリに記憶して、このプログラムによりプロセッサが位相同期回路の応答特性を制御するための指示を生成して位相同期回路を制御することは周知技術（例えば、特開昭５９−５１６２８号公報、特許請求の範囲の「記憶装置」、「プログラム要素」、「マイクロプロセッサ装置」、「デジタル制御出力信号」という記載及びＦＩＧ２等を参照）であると認められ、位相同期回路の制御をプログラムをメモリに記憶して、このプログラムによりプロセッサが位相同期回路の応答特性を制御する方式とすることも、当業者が容易に想到し得ることに過ぎないと認められる。
　したがって、引用例１記載の発明の、フィルタ・発振器制御回路２による制御に代えて、メモリに記憶されたプログラム、応答特性を制御するための情報、アクセス位置の情報に基づき、プロセッサが指示を生成して、位相同期回路の制御を行うように変更することは、引用例２記載の発明及び周知技術を斟酌すれば、当業者が容易になし得ることであると認められる。
５．むすび
　以上のとおりであるから、請求項１に係る発明は、引用例１，２記載の発明及び周知技術に基いて当業者が容易に発明をすることができたものと認められ、特許法第２９条第２項の規定により特許を受けることができない。　　よって、結論のとおり審決する。